(57)【要約】【課題】パンチガイドに対して、ストリッパープレートを備えたアダプターの着脱を容易に行うことのできるストリッパープレート装着装置を提供する。【解決手段】パンチ１７を上下動自在に嵌入したパンチガイド５の先端部にストリッパープレート２１を着脱交換自在に装着するためのストリッパープレート装着装置であって、前記パンチガイド５の先端部に、前記ストリッパープレート２１を保持したアダプター３５を着脱自在に備えると共に、先端部外周の複数箇所に、前記アダプター３５を前記パンチガイド５に固定可能なロック機構４３を備え、当該ロック機構４３は、付勢手段によって常に放射外方向へ付勢されて、前記アダプター３５に備えた係止部４１に対して係止，離脱自在なロック片５３と、当該ロック片５３が放射内方向に押圧移動されたときに、前記ロック片５３を内方位置に係止保持するための係止片６３とを備えている。【選択図】図１
2007222917.tif 000002
【特許請求の範囲】
【請求項１】
先端部に刃部を備えたパンチを上下動自在に嵌入したパンチガイドの先端部にストリッパープレートを着脱交換自在に装着するためのストリッパープレート装着装置であって、前記パンチガイドの先端部に、前記ストリッパープレートを保持したアダプターを着脱自在に備えると共に、前記パンチガイドの先端部外周の複数箇所に、前記アダプターを前記パンチガイドに固定可能なロック機構を備え、当該ロック機構は、付勢手段によって常に放射外方向へ付勢されて、前記アダプターに備えた係止部に対して係止，離脱自在なロック片と、当該ロック片が放射内方向に押圧移動されたときに、前記ロック片を内方位置に係止保持するための係止片とを備えていることを特徴とするストリッパープレート装着装置。
【請求項２】
請求項１に記載のストリッパープレート装着装置において、前記係止片は、前記ロック片に対して接近する方向へ押圧付勢されており、かつロック片と一体的に放射方向に移動可能に設けてあることを特徴とするストリッパープレート装着装置。
【請求項３】
請求項１又は２に記載のストリッパープレート装着装置において、前記ロック片が前記係止片に対向した対向面には係合凹部が形成してあり、前記係止片には、上記係合凹部に対して係合離脱可能な凸部が備えられていることを特徴とするストリッパープレート装着装置。
【請求項４】
請求項１，２又は３に記載のストリッパープレート装着装置において、前記パンチガイドから前記アダプターを取り外したとき、前記ロック片よりも前記係止片が外方に突出していることを特徴とするストリッパープレート装着装置。
【発明の詳細な説明】
【技術分野】
【０００１】
本発明は、パンチプレスに使用されるパンチ金型に対してストリッパープレートを着脱交換可能に装着するストリッパープレート装着装置に係り、さらに詳細には、パンチ金型に対してストリッパープレートの着脱を簡単に行うことのできるストリッパープレート装着装置に関する。
【背景技術】
【０００２】
パンチプレスに使用されるパンチ金型には、パンチによって板状のワークにパンチング加工を行うとき、パンチング加工時の歪みを抑制するために、前記ワークをダイ金型に押さえ付ける作用をなすストリッパープレートが備えられている。そして、パンチの刃部が摩耗したときには、パンチ金型からパンチを取り外して刃部の再研磨を行うことが行われている。この場合、パンチ金型からストリッパープレートを取り外す必要があるので、パンチ金型に対してのストリッパープレートの着脱が容易に行われ得る構成が提案されている（例えば、特許文献１参照）。
【特許文献１】特表２００５−５２８９８６号公報
【発明の開示】
【発明が解決しようとする課題】
【０００３】
前記特許文献１に記載のパンチ金型は、図４に示すごとき構成である。すなわち、パンチ金型１はパンチボディ３を上下動自在に案内する筒状のパンチガイド５を備えており、このパンチガイド５の一端側には、リテーナカラー７がボルト等によって取付けてある。そして、前記パンチボディ３の一端側に備えた調整螺子部に調節可能に螺合した筒状のパンチドライバ９の端部にはパンチヘッド１１が取りつけてあり、このパンチヘッド１１と前記リテーナカラー７との間にはストリッパースプリング１３が弾装してある。
【０００４】
前記パンチボディ３の他端側には、ボルト１５を介してパンチブロック１７が着脱交換可能に取付けてある。このパンチブロック１７の先端部にはパンチ刃部１９が形成してあり、このパンチ刃部１９を囲繞した円板状のストリッパープレート２１が前記パンチガイド５の先端部に着脱交換可能に装着してある。
【０００５】
すなわち、前記パンチガイド５の先端部内周面には、前記ストリッパープレート２１を先端部に保持するための円筒形状のホルダ２３が上下動自在に嵌入されている。そして、上記ホルダ２３の外周面の複数箇所に設けたスプリング収容凹部には、前記ホルダ２３を常に上方向へ付勢するためのスプリング２５が弾装されている。また、前記ホルダ２３の外周面の複数箇所には、前記ストリッパープレート２１の外周面に形成した環状溝２１Ｇに係合してストリッパープレート２１を前記ホルダ２３に一体的に係止固定するためのプレート係止片２７が放射方向（内外方向）へ揺動自在に備えられている。
【０００６】
さらに、前記ホルダ２３の外周面の複数箇所には、前記パンチガイド５の複数箇所に設けた径方向の係止穴２９に対して係合離脱可能な係止ボタン３１が径方向へ移動自在に備えられている。なお、上記係止ボタン３１は、内装したスプリング３３によって常に外方向へ付勢されているものである。
【０００７】
上記構成において、図に示すように、スプリング２５の付勢力に抗してホルダ２３がパンチガイド５内に挿入され、ホルダ２３に備えたプレート係止片２７がパンチガイド５の先端内周面によって内方向へ揺動されてストリッパープレート２１を保持した状態にあり、かつホルダ２３に備えた係止ボタン３１がパンチガイド５の係止穴２９に係合した状態にあるとき、ストリッパープレート２１はパンチガイド５に一体化された状態にあり、ストリッパープレート２１の着脱は不可能である。
【０００８】
パンチガイド５に対してストリッパープレート２１の着脱交換を行うには、次のように行うものである。すなわち、複数箇所に備えた係止ボタン３１をスプリング３３に抗して同時に押圧して、係止穴２９と係止ボタン３１との係合を解除する。すると、スプリング２５の付勢力によってホルダ２３が図において上方向に移動される。ホルダ２３が上方向に移動されると、プレート係止片２７を外方向へ揺動することができストリッパープレート２１の固定が解除される。したがって、ホルダ２３上からストリッパープレート２１を取り外すことができる。
【０００９】
逆に、前記ホルダ２３上にストリッパープレート２１をセットし、スプリング２５の付勢力に抗してホルダ２３をパンチガイド５の内方向へ押圧すると、前記ストリッパープレート２１の固定が行われる。すなわち、ホルダ２３をパンチガイド５の内方向へ押圧移動すると、プレート係止片２７が放射内方向へ移動してストリッパープレート２１を一体的に固定する。その後、ホルダ２３を押圧すると、ホルダ２３に備えた係止ボタン３１がパンチガイド５に備えた係止穴２９に係合してホルダ２３の固定が行われ、ストリッパープレート２１はパンチガイド５に一体化されることになる。
【００１０】
上記説明より理解されるように、従来の構成においては、スプリング３３に抗して複数の係止ボタン３１を同時に押圧しなければならないという問題がある。また、スプリング２５の付勢力によってホルダ２３を押し上げるので、パンチブロック１７におけるパンチ刃部１９が比較的大きく、ストリッパープレート２１が比較的軽い場合には、ホルダ２３の押し上げが勢いよく急激に行われることがあり、作業者に不安定感を与えるなどの問題がある。さらに、従来構成においては、ストリッパープレート２１の着脱を繰り返すと、プレート係止片２７が折損することがあるなど、さらなる改善が求められている。
【課題を解決するための手段】
【００１１】
本発明は、前述したごとき従来の問題に鑑みてなされたもので、先端部に刃部を備えたパンチを上下動自在に嵌入したパンチガイドの先端部にストリッパープレートを着脱交換自在に装着するためのストリッパープレート装着装置であって、前記パンチガイドの先端部に、前記ストリッパープレートを保持したアダプターを着脱自在に備えると共に、前記パンチガイドの先端部外周の複数箇所に、前記アダプターを前記パンチガイドに固定可能なロック機構を備え、当該ロック機構は、付勢手段によって常に放射外方向へ付勢されて、前記アダプターに備えた係止部に対して係止，離脱自在なロック片と、当該ロック片が放射内方向に押圧移動されたときに、前記ロック片を内方位置に係止保持するための係止片とを備えていることを特徴とするものである。
【００１２】
また、前記ストリッパープレート装着装置において、前記係止片は、前記ロック片に対して接近する方向へ押圧付勢されており、かつロック片と一体的に放射方向に移動可能に設けてあることを特徴とするものである。
【００１３】
また、前記ストリッパープレート装着装置において、前記ロック片が前記係止片に対向した対向面には係合凹部が形成してあり、前記係止片には、上記係合凹部に対して係合離脱可能な凸部が備えられていることを特徴とするものである。
【００１４】
また、前記ストリッパープレート装着装置において、前記パンチガイドから前記アダプターを取り外したとき、前記ロック片よりも前記係止片が外方に突出していることを特徴とするものである。
【発明の効果】
【００１５】
本発明によれば、ストリッパープレートを保持したアダプターは、ロック機構によってパンチガイドに固定され、このロック機構による固定を解除することにより、パンチガイドに対してアダプターを取り外すことができるものである。この際、パンチガイドに対してアダプターは押し上げられるようなことがなく、ストリッパープレートの軽重に拘りなく定位置において固定，解除が行われるものである。
【００１６】
また、ロック機構による固定を解除するとき、複数のロック片を個別に押圧することができるものであり、複数のロック片を同時に押圧操作する必要がなく、その固定解除を容易に行うことができるものである。
【発明を実施するための最良の形態】
【００１７】
以下、図面を用いて本発明の実施形態について説明するに、前述した従来の構成と同一機能を奏する構成要素には、同一符号を付して重複した説明は省略する。また、パンチ金型としての全体的構成は、従来の一般的な構成とほぼ同一の構成であるから、パンチ金型の全体的構成の図示及び説明は省略して、パンチガイドに対してストリッパープレートを着脱交換自在に装着する構成について詳細に説明することにする。
【００１８】
図１を参照するに、パンチ金型１の全体的構成は従来の一般的なパンチ金型とほぼ同一の構成であって、従来のパンチガイドと同様に、円筒形状のパンチガイド５内にはパンチボディ３が上下動自在に嵌入してあり、このパンチボディ３には、先端部にパンチ刃部１９を形成したパンチブロック１７が備えられている。そして、前記パンチガイド５の先端部には、円板状のストリッパープレート２１を着脱交換可能に備えた円筒形状のアダプター３５が固定，解除可能に装着してある。
【００１９】
すなわち、前記アダプター３５の先端側の内周面には、前記ストリッパープレート２１を装着するための環状の取付段部３７が形成してある。さらに、前記アダプター３５には、前記パンチガイド５の先端部外周面に嵌合する薄肉の円筒嵌合部３９が一体に備えられている。そして、上記円筒嵌合部３９の周方向の複数箇所には径方向（放射方向）に貫通した係止穴４１が係止部として形成してある。
【００２０】
複数箇所の前記係止穴４１に対応して、前記パンチガイド５の先端部外周の複数箇所には、前記アダプター３５を前記パンチガイド５に固定可能なロック機構４３が備えられている。すなわち、より詳細には、前記パンチガイド５の先端部外周の複数箇所には、放射外方向（径方向の外側方向）に開口した第１凹部４５と第２凹部４７とが、パンチガイド５の長手方向に離隔して備えられている。上記第１凹部４５は、第２凹部４７よりもパンチガイド５の先端側に位置するものであり、上記第１凹部４５と第２凹部４７とを区画した区画壁４９には径方向（放射方向）に長い長孔５１が貫通してある。
【００２１】
前記第１凹部４５内には、前記係止穴４１に係合離脱自在（係止，離脱自在）なロック片５３が径方向へ移動自在に内装されている。このロック片５３は第１凹部４５内に弾装したコイルスプリングなどのごとき付勢手段５５によって常に放射外方向へ付勢されている。そして、前記第１凹部４５内からの前記ロック片５３の放射外方向への抜け出しを規制するために、ロック片５３には抜け止めピン５７が備えられており、この抜け止めピン５７の先端部は、前記パンチガイド５に形成した径方向の長孔５８内に移動自在に係合してある。
【００２２】
さらに前記ロック片５３の先端側の外側には前記円筒嵌合部３９の端縁部によって押圧され得る傾斜面５９が形成してあり、前記区画壁４９に接触した接触面には円錐形状又は球面形状の係合凹部６１が形成してある。
【００２３】
前記第２凹部４７内には、第２凹部４７に沿って径方向（放射方向）へ移動可能かつ前記ロック片５３に対して接近離反する方向へ移動可能な係止片６３が内装されている。この係止片６３には、前記長孔５１を貫通して前記ロック片５３に備えた前記係合凹部６１に係合離脱可能な凸部として係合ピン６５が備えられている。そして、前記係止片６３は、前記第２凹部４７内に弾装したコイルスプリングなどのごとき付勢手段６７によって前記ロック片５３側へ常に付勢されている。そして、前記ロック片５３及び係止片６３が共に放射外方向に移動されたとき、ロック片５３よりも係止片６３が僅かに外方向に突出した状態となるものである。
【００２４】
以上のごとき構成において、図１（Ａ）に示すように、ストリッパープレート２１を装着したアダプター３５における係止穴（係止部）４１にロック片５３が係合した状態にあるとき、アダプター３５はパンチガイド５に一体的に固定された状態にある。このとき、前記ロック片５３は付勢手段５５によって外方向へ移動された状態にある。そして、係止片６３は、アダプター３５の円筒嵌合部３９によって内方向に移動された状態にあり、この係止片６３に備えた係合ピン６５は、前記ロック片５３に形成した係合凹部６１から離脱して、上記係合凹部６１よりも放射内方向に移動された状態にある。
【００２５】
上述のごとく、ロック機構４３におけるロック片５３がアダプター３５の係止穴４１に係合してロックした状態にあるとき、付勢手段５５の付勢力に抗してロック片５３を内方向へ押圧移動すると、図１（Ｂ）に示すように、ロック片５３が係止穴４１から離脱されると共に、係止片６３に備えた係合ピン６５とロック片５３に形成した係合凹部６１が係合され、付勢手段６７の作用によって上記係合が保持される。したがって、複数のロック片５３を個別に又は同時に内方向へ移動して、内方向に移動した状態に保持することができる。よって、図１（Ｂ）において、アダプター３５を、パンチガイド５から上方向へ取り外すことができ、アダプター３５に対してストリッパープレート２１を着脱交換することができるものである。
【００２６】
パンチガイド５からアダプター３５を取り外すと、アダプター３５における円筒嵌合部３９による係止片６３の外方向への移動の規制が解除される。したがって、ロック片５３の係合凹部６１と係止片６３の係合ピン６５とが係合した状態において、付勢手段５５の作用によって外方向へ移動される。そして、前記係合ピン６５が区画壁４９に設けた長孔５１によって規制された位置に停止される。この状態においては、前記ロック片５３よりも係止片６３が僅かに外方向に突出した状態にある（図２参照）。
【００２７】
次に、図２に示すように、アダプター３５がパンチガイド５から取り外された状態にあるとき、アダプター３５の円筒嵌合部３９をパンチガイド５の先端部に再び嵌合すると、図３（Ａ）に示すように、前記円筒嵌合部３９がロック片５３の傾斜面５９に当接し、付勢手段５５に抗してロック片５３を内方向へ押圧移動する。
【００２８】
その後、図３（Ｂ）に示すように、前記円筒嵌合部３９が係止片６３に当接して、前記ロック片５３に対して係止片６３に備えた係合ピン６５とロック片５３に備えた係合凹部６１との係合が解除されると共に、付勢手段５５の作用によってロック片５３がアダプター３５の係止穴４１に係合され、図１（Ａ）に示す最初の状態に戻ることになる。
【００２９】
以上のごとき説明より理解されるように、ロック機構４３によるパンチガイド５に対するアダプター３５の固定を解除したとき、前記アダプター３５は上下動することなく同一高さに保持されているものであって安定状態に保持されるものである。したがって、パンチガイド５に対するアダプター３５の着脱交換等を安定して行うことができるものである。
【００３０】
また、ロック機構４３によるアダプター３５の固定を解除するときには、複数箇所のロック機構４３におけるロック片５３を個別に内方向へ押圧操作した場合であっても、各ロック片５３を内方向へ移動した状態に係止保持することができ、例えばロック機構４３のロック解除を順次行ない得ることとなり、ロック解除を容易に行い得るものであって、前述したごとき従来の問題を解決することができるものである。
【図面の簡単な説明】
【００３１】
【図１】本発明の実施形態に係るストリッパープレート装着装置の構成を示す断面説明図である。
【図２】本発明の実施形態に係るストリッパープレート装着装置のロック解除状態を示す断面説明図である。
【図３】本発明の実施形態に係るストリッパープレート装着装置のロック状態に至る状態を示す断面説明図である。
【図４】従来のパンチ金型の構成を示す断面説明図である。
【符号の説明】
【００３２】
１    パンチ金型
３    パンチボディ
５    パンチガイド
１７    パンチブロック
１９    パンチ刃部
２１    ストリッパープレート
３５    アダプター
３９    円筒嵌合部
４１    係止穴
４３    ロック機構
４５    第１凹部
４７    第２凹部
５３    ロック片
５５，６７    付勢手段（スプリング）
５７    抜け止めピン
５９    傾斜面
６１    係合凹部
６３    係止片
６５    係合ピン（凸部）
【図１】
2007222917.tif 000003
【図２】
2007222917.tif 000004
【図３】
2007222917.tif 000005
【図４】
2007222917.tif 000006